(57)【特許請求の範囲】
【請求項１】
左右両側に立設した支柱間に、複数のブロックパネルを上下に配線用空間を設けて着脱可能に取付けるとともに、前記支柱の前面側には左右両側をブラケットで支持した単又は複数の載置板を、着脱可能且つ高さ調節可能に取付けてなるパネル付きパソコンデスクであって、前記ブロックパネルは、前記支柱の間隔に相当する横幅を有する表面板の両側縁から後方へ延びた側面板と、下縁から後方へ延びた底面板と、上縁から後方へ延びた上面板とを有する背面開放の箱体であり、前記側面板を支柱の内面側にネジ止めして両支柱及び複数のブロックパネルを一体化してなることを特徴とするパネル付きパソコンデスク。
【請求項２】
前記ブロックパネルの背面側で両支柱間の略全面にわたって、背面パネルを前記ブロックパネルの表面板との間に空間を設けて着脱可能に取付けるとともに、ブロックパネルの前記上面板を前記支柱の横幅の略半分の幅として上縁後部を開放し、該上面板の後縁を下方へ折曲して折曲片を形成し、前記背面パネルとの間にコード挿通用開口を形成してなる請求項１記載のパネル付きパソコンデスク。
【請求項３】
前記各ブロックパネルの前記底面板は、前記支柱の横幅と略同一幅で、後縁を上方へ折曲するとともに、該底面板の一部に上下貫通したコード挿通孔を形成してなる請求項１又は２記載のパネル付きパソコンデスク。
【請求項４】
前記ブロックパネルの少なくとも一つに、コンセントタップを内蔵してなる請求項１〜３何れかに記載のパネル付きパソコンデスク。
【発明の詳細な説明】
【０００１】
【発明の属する技術分野】
本発明は、パネル付きパソコンデスクに係わり、更に詳しくはパーソナルコンピュータ（以下「パソコン」と称す）で代表される電子情報機器を載置して使用するための簡易なパネル付きパソコンデスクに関するものである。
【０００２】
【従来の技術】
従来、左右両側に接地脚付きの支柱を配し、支柱間を複数の横桟で連結するとともに、支柱に前方へ突出した支持杆を多段に固定し、両支持杆にパソコンやプリンター等の電子情報機器を載置する載置板を取付けて、電子情報機器を上下に配置することで省スペース化が図れるようにしたパソコンラックは、既に提供されている。
【０００３】
しかし、この従来のパソコンラックは、基本的に剛体構造のフレームがむき出しになっており、各電子機器を接続するコード類が乱雑に露出するため、見苦しさは否めない。特に、パソコンラックの背後を開放してオフィス空間や通路として利用する場合には、パソコンラックの背面の乱雑さが景観を損なうのである。
【０００４】
尚、左右両側に立設した支柱間の上下部を横桟で連結してフレームを形成するとともに、支柱の前面に形成した上下方向の多数に係止孔を利用して棚受部材を着脱可能且つ上下高さ調節可能に取付け、両棚受部材で棚板を多段に支持してなる商品陳列用のラックは公知である。また、両支柱間に格子状のパネルあるいは板状のを装着して商品を係止できるようにすることも公知である。
【０００５】
【発明が解決しようとする課題】
本発明が前述の状況に鑑み、解決しようとするところは、パソコンやプリンター等の電子情報機器を上下多段に載置して使用でき、それらのコード類を外観性良く且つ機能的に配線することができる安価で組立式のパネル付きパソコンデスクを提供する点にある。
【０００６】
【課題を解決するための手段】
本発明は、前述の課題解決のために、左右両側に立設した支柱間に、複数のブロックパネルを上下に配線用空間を設けて着脱可能に取付けるとともに、前記支柱の前面側には左右両側をブラケットで支持した単又は複数の載置板を、着脱可能且つ高さ調節可能に取付けてなるパネル付きパソコンデスクであって、前記ブロックパネルは、前記支柱の間隔に相当する横幅を有する表面板の両側縁から後方へ延びた側面板と、下縁から後方へ延びた底面板と、上縁から後方へ延びた上面板とを有する背面開放の箱体であり、前記側面板を支柱の内面側にネジ止めして両支柱及び複数のブロックパネルを一体化してなるパネル付きパソコンデスクを構成した。
【０００７】
更に、前記ブロックパネルの背面側で両支柱間の略全面にわたって、背面パネルを前記ブロックパネルの表面板との間に空間を設けて着脱可能に取付けるとともに、ブロックパネルの前記上面板を前記支柱の横幅の略半分の幅として上縁後部を開放し、該上面板の後縁を下方へ折曲して折曲片を形成し、前記背面パネルとの間にコード挿通用開口を形成してなるものである。
【０００８】
また、前記各ブロックパネルの前記底面板は、前記支柱の横幅と略同一幅で、後縁を上方へ折曲するとともに、該底面板の一部に上下貫通したコード挿通孔を形成してなること、あるいは前記ブロックパネルの少なくとも一つに、コンセントタップを内蔵してなることがより好ましい。
【０００９】
【発明の実施の形態】
次に本発明の実施の形態を添付図面に基づき更に詳細に説明する。図１〜図３は本発明に係るパネル付きパソコンデスクを示し、図中符号１は支柱、２はブロックパネル、３は背面パネル、４はブラケット、５は載置板をそれぞれ示している。
【００１０】
本発明に係るパネル付きパソコンデスクＡは、左右両側に立設した支柱１，１間に、複数のブロックパネル２，…を上下に配線用空間６を設けて着脱可能に取付けるとともに、前記支柱１，１の前面側には左右両側をブラケット４，４で支持した単又は複数の載置板５，…を、着脱可能且つ高さ調節可能に取付けたものである。
【００１１】
更に、前記ブロックパネル２，…の背面側で両支柱１，１間の略全面にわたって、背面パネル３を前記ブロックパネル２の表面板７との間に空間８を設けて着脱可能に取付けるとともに、ブロックパネル２の上縁後部を開放して前記背面パネル３との間にコード挿通用開口９を形成している。
【００１２】
更に詳しくは、前記支柱１は、下端に前後方法へ延びる接地杆１０を固着し、該接地杆１０の前後端部にはキャスター１１，１１を設けてあり、本実施形態の片面タイプのパネル付きパソコンデスクでは、当該接地杆１０の後部に支柱１を立設している。尚、両面タイプのパネル付きパソコンデスクでは、前記接地杆１０の中央部に支柱１を立設すれば良い。そして、前記支柱１の前面には、前記ブラケット４のフックを着脱可能且つ高さ調節可能に係止するための係止孔１２，…を上下方向に一定間隔毎に形成するとともに、背面の上部に前記背面パネル３の前面側上側部に突設したフックを着脱可能に係止するための係止孔（図示せず）を形成している。
【００１３】
前記ブロックパネル２は、本実施形態では上下寸法の大きな２枚と上下寸法の小さな１枚の合計３枚用い、下から順に２Ａ、２Ｂ、２Ｃと表すが、基本構造は何れも共通している。つまり、ブロックパネル２は、前記支柱１，１の間隔に相当する横幅を有する表面板７の両側縁から後方へ延びた側面板１３と、下縁から後方へ延びた底面板１４と、上縁から後方へ延びた上面板１５とを有する背面開放の箱体であり、前記側面板１３と底面板１４とは前記支柱１の横幅と略同一幅で、前記上面板１５はその略半分の幅となっており、この上面板１５の後方に前記コード挿通用開口９が形成されるのである。更に、前記底面板１４の後縁を上方へ折曲するとともに、前記上面板１５の後縁を下方へ折曲して曲げ強度を高めると同時に、上面板１５の折曲片１５Ａは前記コード挿通用開口９の開口縁をとなるためコードの傷付きを防止する作用もなすのである。
【００１４】
また、図４に示すように、前記側面板１３の上下部には、下方が大径孔１６Ａで上方が小径孔１６Ｂの連続したダルマ孔１６，１６を形成し、組立て時に前記支柱１の内面側の適所に緩く螺合した取付ネジ１７の頭部１７Ａを大径孔１６Ａに相通した後、ブロックパネル２を下方へ落とし込み、取付ネジ１７の軸部１７Ｂに小径孔１６Ｂを掛けた後、取付ネジ１７を強く螺合して取付けるのである。つまり、左右両側の支柱１，１間に複数のブロックパネル２，…を取付ける際に、前記各支柱１の内面側の６箇所の螺孔１８，…に取付ネジ１７，…を緩く螺合しておき、一方の支柱１の取付ネジ１７，…にブロックパネル２，…をダルマ孔１６，１６を利用して次々に係止した後、他方の支柱１の６箇所に取付ネジ１７，…を各ブロックパネル２，…のダルマ孔１６，１６を挿入係止した後、全ての取付ネジ１７，…を強く螺合して、両支柱１，１及びブロックパネル２，…を一体化するのである。勿論、前記両支柱１，１間の上下部に横桟を連結して予めフレーム構成する場合には、各ブロックパネル２を両支柱１，１間の所定位置に保持した状態で、前記取付ネジ１７をダルマ孔１６に内側から挿通して支柱１の内面の螺孔１８に螺合れば良い。また、特定の１枚のブロックパネル２を支柱１，１に対して着脱する場合も、取付ネジ１７を螺孔１８から外してしまった後に行うのである。尚、支柱１の螺孔１８に取付ネジ１７を螺合したまま各ブロックパネル２を着脱できるようにするには、前記ダルマ孔１６の大径孔１６Ａから側面板１３の後端まで連続した開放した切欠孔を設ければ良い。
【００１５】
また、前記ブロックパネル２の底面板１４の一部に、上下貫通したコード挿通孔１９を形成している。つまり、前記配線用空間６からコード挿通用開口９を通して、前記ブロックパネル２と背面パネル３間の空間８内に配線したコード類を、前記コード挿通孔１９を通して下段の配線用空間６からブロックパネル２の前面側に引き出したり、また下段のブロックパネル２と背面パネル３間の空間８内に配線したりすることができる。更に、前記ブロックパネル２，…の内の少なくとも一つのブロックパネル２の底面板１４に、コンセントタップ２０やブレーカー等を取付けて内蔵することも好ましい。このコンセントタップ２０に、当該パネル付きパソコンデスクに載置する電子情報機器の全ての電源を供給することができる。更に、情報信号コードを接続するための端子や、ハブ、ルータ等を内蔵できるようにすることも好ましい。更に、前記各ブロックパネル２Ａ，２Ｂの表面板７の背面に、余剰のコード類を巻回して収容できるように、コード巻き取り金具２１，２１を固定している。
【００１６】
前記背面パネル３は、両支柱１，１間の略全面にわたって、前記ブロックパネル２の表面板７との間に空間８を設けて着脱可能に取付けるが、本実施形態では支柱１の後面上部に形成した係止孔に、前面側上側部に突設したフック２２，…を嵌合係止するとともに、下部を支柱１の後面下部にネジ止めしている。背面パネル３を支柱１，１に着脱可能に取付ける構造は他の構造であっても差し支えないのである。
【００１７】
前記ブラケット４は、図５に示すように、側面視直角三角形状の外形を有する基板２３の後端に前記支柱１の係止孔１２，…に嵌合係止するフック２４，…を形成するとともに、水平な下縁の内方に前記載置板５の受板２５を形成し、該受板２５の内縁に立片２６を折曲形成し、該立片２６と受板２５の一部には後述の載置板５の下面に形成した横補強２７を受入れる切欠部２８を形成したものである。
【００１８】
前記載置板５は、周囲を下方へ折曲したスチール製の板体であり、側板２９を前記ブラケット４の受板２５に載せ且つ前記立片２６で内方への移動を規制された状態で支持するとともに、下面の前後部に横設した前記横補強２７，２７を前記切欠部２８，２８に嵌合し且つ受板２５の下面から挿通したネジ３０，３０を前記横補強２７，２７の下面に螺合して固定するようになっている。しかし、前記ブラケット４に対して前記載置板５の側部を支持する構造は、前述のものに限定されない。
【００１９】
前記支柱１に対して取付けるブラケット４の高さ位置は、図７に示すように、例えばパソコンのモニターＰ１や本体Ｐ２を載置する下段の載置板５と、プリンターＰ３を載置する上段の載置板５が使用し易い位置に設定すれば良いが、この際に下段のブロックパネル２Ａと中段のブロックパネル２Ｂとの間に形成される前記配線用空間６と、下段の載置板５の位置が接近するように設定すれば、パソコンのモニターＰ１や本体Ｐ２に接続されたコード類を配線したり、余剰コード類を前記空間８内に収容する上で有利である。また、中段のブロックパネル２Ｂと上段のブロックパネル２Ｃとの間に形成される前記配線用空間６を通してプリンターＰ３から本体Ｐ２への接続コードを配線する際に、当該接続コードが目立たないように上段の載置板５の位置を設定することが望ましい。
【００２０】
また、前記各配線用空間６の前方に一致するようにそれぞれの載置板５の高さを設定すれば、前記ブラケット４を支柱１から外さなくても前面側からブロックパネル２を着脱できるようにすることが可能である。
【００２１】
また、前記パソコンのモニターＰ１や本体Ｐ２を載置する下段の載置板５の両側に目隠しパネル３１を取付けるようになっている。つまり、前記ブラケット４に対して載置板５をネジ３０，３０で固定する際に、該ブラケット４の基板２３と載置板５の側板２９との間に、前記目隠しパネル３１の下縁を受入れる嵌合溝３２を形成し、前記目隠しパネル３１を該嵌合溝３２に嵌合して後方へスライドさせ、該目隠しパネル３１の上端後部を前記支柱１の係止孔１２に係着した支持金具３３の下向き開放した凹溝３４内に嵌挿し、側方から固定ネジ３５で支持金具３３と目隠しパネル３１を螺着するようにしている。
【００２２】
更に詳しくは、図５に示すように、前記目隠しパネル３１は、下縁と後縁が直角であり、前縁上部に滑らかな円弧を形成した擦りガラス状の合成樹脂板であり、上部の後端部に螺孔３６を形成したものであるが、その側面視形状及び材質には限定は不要である。また、前記支持金具３３は、前記凹溝３４を形成すべく断面略コ字形となした本体部の後端に、外側方へ屈曲した係止片３７を形成するとともに、前記本体部の内方の板片に前記ネジ３５を挿通する通孔３８を形成したものである。
【００２３】
そして、前記支持金具３３の係止片３７を所定高さの係止孔１２に回転しながら係止し、本体部の凹溝３４を前後方向へ向けた状態で、前述のように目隠しパネル３１の下縁を前記嵌合溝３２の前寄り部に落とし込み、それから後方へスライドさせて、該目隠しパネル３１の上部後端を前記支持金具３３の凹溝３４内に挿入する。この状態では、前記支持金具３３の回転は抑制されるので、前記係止片３７が係止孔１２から抜けることがない。そして、前記支持金具３３の本体部の通孔３８からネジ３５を挿入し、目隠しパネル３１の螺孔３６に螺合して目隠しパネル３１の前方移動を規制する。この状態で、前記支持金具３３の係止片３７は係止孔１２の上端に当接するようにすれば、目隠しパネル３１の上方変位も規制することが可能である。
【００２４】
また、図７に示すように、本発明に係るパネル付きパソコンデスクＡは、下段の載置板５にパソコンのモニターＰ１、本体Ｐ２を載置し、上段の載置板５にプリンターＰ３を載置して上下多段の配置で使用することができ、更に下段の載置板５の前部にはキーボードＰ４やマウスＰ５を載せて使用できる。更に、下段の載置板５の下方に別の載置板を同様に設けることも可能である。
【００２５】
【発明の効果】
以上にしてなる請求項１に係る発明のパネル付きパソコンデスクは、左右両側に立設した支柱間に、複数のブロックパネルを上下に配線用空間を設けて着脱可能に取付けるとともに、前記支柱の前面側には左右両側をブラケットで支持した単又は複数の載置板を、着脱可能且つ高さ調節可能に取付けてなるパネル付きパソコンデスクであって、前記ブロックパネルは、前記支柱の間隔に相当する横幅を有する表面板の両側縁から後方へ延びた側面板と、下縁から後方へ延びた底面板と、上縁から後方へ延びた上面板とを有する背面開放の箱体であり、前記側面板を支柱の内面側にネジ止めして両支柱及び複数のブロックパネルを一体化してなるので、パソコンやプリンター等の電子情報機器を上下多段に載置して使用することができ、それらのコード類を上下のブロックパネル間の配線用空間を通して配線することができ、またブロックパネルは背面開放の箱体からなり、しかも両支柱間にブロックパネルの側面板を直接ネジ止めするといった簡単な構造であるので、安価に提供でき、更に全ての構成部品が組立式となるので梱包や搬送に有利である。
【００２６】
請求項２によれば、コード類を外観性良く且つ機能的にブロックパネル内に配線することができるとともに、上面板の後縁を下方へ折曲して形成した折曲片により曲げ強度を高めると同時に、コード挿通用開口の開口縁をとなるためコードの傷付きを防止する作用もなすのである。
【００２７】
請求項３によれば、各ブロックパネルの底面板に設けたコード挿通孔を利用して、コード類を上下の電子情報機器間又は床面に設けた電源供給部に配線することができるとともに、底面板は支柱の横幅と略同一幅で後縁を上方へ折曲しているので、ブロックパネルの曲げ強度を高める。
【００２８】
請求項４によれば、電子情報機器に供給する電源コードをブロックパネル内でまとめてコンセントタップに接続することができるので、コード類の外部への露出を最小限に抑制できるのである。
【図面の簡単な説明】
【図１】本発明に係るパネル付きパソコンデスクの全体斜視図である。
【図２】同じく縦断面図である。
【図３】同じく分解斜視図である。
【図４】支柱にブロックパネルを取付ける構造を示す部分分解斜視図である。
【図５】支柱とブラッケト、載置板及び目隠しパネルとの関係を示す分解斜視図である。
【図６】支柱にブラケットにて載置板を取付けた状態と、目隠しパネルを取付けた状態を示す部分拡大正面図である。
【図７】本発明に係るパネル付きパソコンデスクの使用態様を示す全体斜視図である。
【符号の説明】
Ａ  パネル付きパソコンデスク
１  支柱                ２、２Ａ、２Ｂ、２Ｃ  ブロックパネル
３  背面パネル          ４  ブラケット
５  載置板              ６  配線用空間
７  表面板              ８  空間
９  コード挿通用開口    １０  接地杆
１１  キャスター        １２  係止孔
１３  記側面板          １４  底面板
１５  上面板            １５Ａ  折曲片
１６  ダルマ孔          １７  取付ネジ
１８  螺孔              １９  コード挿通孔
２０  コンセントタップ  ２１  コード巻き取り金具
２２  フック            ２３  基板
２４  フック            ２５  受板
２６  立片              ２７  横補強
２８  切欠部            ２９  側板
３１  目隠しパネル      ３２  嵌合溝
３３  支持金具          ３４  凹溝
３５  ネジ              ３６  螺孔
３７  係止片            ３８  通孔
Ｐ１  モニター          Ｐ２  本体
Ｐ３  プリンター        Ｐ４  キーボード
Ｐ５  マウス
【図１】
0003674442.tif 000002
【図２】
0003674442.tif 000003
【図３】
0003674442.tif 000004
【図４】
0003674442.tif 000005
【図５】
0003674442.tif 000006
【図６】
0003674442.tif 000007
【図７】
0003674442.tif 000008